(57)【要約】【課題】小さい規模で各被管理コンピュータ装置の死活を監視する。【解決手段】各被管理コンピュータ装置２０において、マネージャ機能部２２で、管理コンピュータ装置１０のＭＩＢに登録されている自己の死活情報を更新するための更新要求を、管理コンピュータ装置１０へ周期的に送信し、管理コンピュータ装置１０において、ＭＩＢ１２で被管理コンピュータ装置２０ごとに死活状態を記憶しておき、エージェント機能部１１で、被管理コンピュータ装置２０からの更新要求に応じて、ＭＩＢのうち当該被管理コンピュータ装置２０の死活情報を更新し、各被管理コンピュータ装置２０の死活を監視する際、ＭＩＢから各被管理コンピュータ装置２０の死活情報を取得する。【選択図】  図１
2012185766.tif 000002
【特許請求の範囲】
【請求項１】
通信網を介して接続された管理コンピュータ装置と複数の被管理コンピュータ装置とを備え、
前記被管理コンピュータ装置は、
前記管理コンピュータ装置のＭＩＢ（Management Information Base）に登録されている自己の死活情報を更新するための更新要求を、前記通信網を介して前記管理コンピュータ装置へ周期的に送信するマネージャ機能部を備え、
前記管理コンピュータ装置は、
前記被管理コンピュータ装置ごとに、当該被管理コンピュータ装置の死活情報を記憶する前記ＭＩＢと、
前記被管理コンピュータ装置からの前記更新要求に応じて、前記ＭＩＢのうち当該被管理コンピュータ装置の死活情報を更新するエージェント機能部と、
前記各被管理コンピュータ装置の死活を監視する際、前記各被管理コンピュータ装置の死活情報を前記ＭＩＢから取得する取得要求を前記エージェント機能部へ指示する監視マネージャ機能部と
を備え、
前記エージェント機能部は、前記監視マネージャ機能部からの前記取得要求に応じて、前記ＭＩＢから前記各被管理コンピュータ装置の死活情報を取得して前記監視マネージャ機能部へ通知する
ことを特徴とするコンピュータ装置死活監視システム。
【請求項２】
請求項１に記載のコンピュータ装置死活監視システムにおいて、
前記更新要求は、前記被管理コンピュータ装置の死活情報を正常状態に更新する要求からなり、
前記エージェント機能部は、前記更新要求に応じて、前記ＭＩＢのうち前記被管理コンピュータ装置の死活情報を正常状態に更新し、前記監視マネージャ機能部からの前記取得要求に応じて、前記ＭＩＢから前記各被管理コンピュータ装置の死活情報を取得した後、前記各被管理コンピュータ装置の死活情報を異常状態に初期化する
ことを特徴とするコンピュータ装置死活監視システム。
【請求項３】
通信網を介して接続された管理コンピュータ装置と複数の被管理コンピュータ装置とを備えるコンピュータ装置死活監視システムで用いられるコンピュータ装置死活監視方法であって、
前記被管理コンピュータ装置のマネージャ機能部が、前記管理コンピュータ装置のＭＩＢ（Management Information Base）に登録されている自己の死活情報を更新するための更新要求を、前記通信網を介して前記管理コンピュータ装置へ周期的に送信するマネージャ機能ステップと、
前記管理コンピュータ装置の前記ＭＩＢが、前記被管理コンピュータ装置ごとに、当該被管理コンピュータ装置の死活情報を記憶するステップと、
前記管理コンピュータ装置のエージェント機能部が、前記被管理コンピュータ装置からの前記更新要求に応じて、前記ＭＩＢのうち当該被管理コンピュータ装置の死活情報を更新するエージェント機能ステップと、
前記管理コンピュータ装置の監視マネージャ機能部が、前記各被管理コンピュータ装置の死活を監視する際、前記各被管理コンピュータ装置の死活情報を前記ＭＩＢから取得する取得要求を前記エージェント機能部へ指示する監視マネージャ機能ステップと
を備え、
前記エージェント機能ステップは、前記監視マネージャ機能部からの前記取得要求に応じて、前記ＭＩＢから前記各被管理コンピュータ装置の死活情報を取得して前記監視マネージャ機能部へ通知するステップを含む
ことを特徴とするコンピュータ装置死活監視方法。
【請求項４】
請求項３に記載のコンピュータ装置死活監視方法において、
前記更新要求は、前記被管理コンピュータ装置の死活情報を正常状態に更新する要求からなり、
前記エージェント機能ステップは、前記更新要求に応じて、前記ＭＩＢのうち前記被管理コンピュータ装置の死活情報を正常状態に更新し、前記監視マネージャ機能部からの前記取得要求に応じて、前記ＭＩＢから前記各被管理コンピュータ装置の死活情報を取得した後、前記各被管理コンピュータ装置の死活情報を異常状態に初期化するステップを含む
ことを特徴とするコンピュータ装置死活監視方法。
【発明の詳細な説明】
【技術分野】
【０００１】
本発明は、コンピュータ装置管理技術に関し、特にネットワーク上に接続された複数のコンピュータ装置に関する死活状態を監視するコンピュータ装置死活監視技術に関する。
【背景技術】
【０００２】
一般に、ネットワーク上に接続された複数の被管理コンピュータ装置の死活監視を行う場合、管理コンピュータ装置から全ての被管理コンピュータ装置に対し、死活を確認するための問い合わせデータを送信し、問い合わせデータを受信した被管理コンピュータ装置からの応答データを管理コンピュータ装置が受信することで、該当コンピュータ装置が正常に動作していると判断を行う。この場合、ＩＣＭＰ（Internet Control Message Protocol）やＳＮＭＰ（Simple Network Management Protocol）などの通信プロトコルを用いて管理コンピュータから被管理コンピュータの状態を定期的に確認する方法が用いられる。
【０００３】
このような方式では、被管理コンピュータ装置の数が少ない場合には、管理コンピュータ装置からの問い合わせデータの送信と被管理コンピュータ装置からの応答データの受信を円滑に行うことができるが、被管理コンピュータ装置の数が大多数となるような場合、管理コンピュータ装置はネットワークを介し多数の問い合わせデータの送信と応答データの受信を行わなければならないため、全ての被管理コンピュータに対する確認を行うためには多くの時間を有することになる。
【０００４】
一方、従来のコンピュータ装置監視技術として、各コンピュータ装置に設けたＭＩＢ（Management Information Base）と呼ばれるネットワーク定義情報を用いて、被管理コンピュータ装置の状態を監視する技術が提案されている（例えば、特許文献１など参照）。
このコンピュータ装置監視システムには、被管理コンピュータ装置にＭＩＢが設けられているとともに、これに対応するＭＩＢが管理コンピュータ装置にそれぞれ設けられている。
【０００５】
このコンピュータ装置監視システムでは、各被管理コンピュータ装置において、エージェントが自己のＭＩＢを常時監視し、ＭＩＢの内容に変化があればその変更内容を管理コンピュータ装置に通知する。管理コンピュータ装置のマネージャは、任意の被管理コンピュータ装置からの変更内容の通知に応じて、自己のＭＩＢのうち対応するＭＩＢの内容を更新する。
このようにして、被管理コンピュータ装置のＭＩＢと管理コンピュータ装置のＭＩＢとを同期させておくことにより、各被管理コンピュータ装置の状態情報を管理コンピュータ装置のＭＩＢで、収集して監視するものとなっている。
【先行技術文献】
【特許文献】
【０００６】
【特許文献１】特開２００２−１４９５０９号公報
【発明の概要】
【発明が解決しようとする課題】
【０００７】
しかしながら、このような従来技術では、被管理コンピュータ装置のＭＩＢと管理コンピュータ装置のＭＩＢとを同期させることにより、各被管理コンピュータ装置の状態情報を管理コンピュータ装置のＭＩＢで収集しているため、各被管理コンピュータ装置にＭＩＢを設ける必要がある。このため、各被管理コンピュータ装置の構成が複雑化するとともに、死活監視のための情報が被管理コンピュータ装置と管理コンピュータ装置で冗長して持つことになり、システムの規模が大きくなるという問題点があった。
【０００８】
本発明はこのような課題を解決するためのものであり、小さい規模で各被管理コンピュータ装置の死活を監視できるコンピュータ装置死活監視技術を提供することを目的としている。
【課題を解決するための手段】
【０００９】
このような目的を達成するために、本発明にかかるコンピュータ装置死活監視システムは、通信網を介して接続された管理コンピュータ装置と複数の被管理コンピュータ装置とを備え、被管理コンピュータ装置は、管理コンピュータ装置のＭＩＢ（Management Information Base）に登録されている自己の死活情報を更新するための更新要求を、通信網を介して管理コンピュータ装置へ周期的に送信するマネージャ機能部を備え、管理コンピュータ装置は、被管理コンピュータ装置ごとに、当該被管理コンピュータ装置の死活情報を記憶するＭＩＢと、被管理コンピュータ装置からの更新要求に応じて、ＭＩＢのうち当該被管理コンピュータ装置の死活情報を更新するエージェント機能部と、各被管理コンピュータ装置の死活を監視する際、各被管理コンピュータ装置の死活情報をＭＩＢから取得する取得要求をエージェント機能部へ指示する監視マネージャ機能部とを備え、エージェント機能部で、監視マネージャ機能部からの取得要求に応じて、ＭＩＢから各被管理コンピュータ装置の死活情報を取得して監視マネージャ機能部へ通知するようにしたものである。
【００１０】
また、本発明にかかるコンピュータ装置死活監視方法は、通信網を介して接続された管理コンピュータ装置と複数の被管理コンピュータ装置とを備えるコンピュータ装置死活監視システムで用いられるコンピュータ装置死活監視方法であって、被管理コンピュータ装置のマネージャ機能部が、管理コンピュータ装置のＭＩＢ（Management Information Base）に登録されている自己の死活情報を更新するための更新要求を、通信網を介して管理コンピュータ装置へ周期的に送信するマネージャ機能ステップと、管理コンピュータ装置のＭＩＢが、被管理コンピュータ装置ごとに、当該被管理コンピュータ装置の死活情報を記憶するステップと、管理コンピュータ装置のエージェント機能部が、被管理コンピュータ装置からの更新要求に応じて、ＭＩＢのうち当該被管理コンピュータ装置の死活情報を更新するエージェント機能ステップと、管理コンピュータ装置の監視マネージャ機能部が、各被管理コンピュータ装置の死活を監視する際、各被管理コンピュータ装置の死活情報をＭＩＢから取得する取得要求をエージェント機能部へ指示する監視マネージャ機能ステップと備え、エージェント機能ステップに、監視マネージャ機能部からの取得要求に応じて、ＭＩＢから各被管理コンピュータ装置の死活情報を取得して監視マネージャ機能部へ通知するステップと含むようにしたものである。
【発明の効果】
【００１１】
本発明によれば、各被管理コンピュータ装置にＭＩＢを設けることなく、各被管理コンピュータ装置の死活情報を管理コンピュータで管理することができる。したがって、各被管理コンピュータ装置の構成を簡素化できるとともに、死活監視のための情報が管理コンピュータ装置だけで一元管理することができ、小さい規模のシステムで各被管理コンピュータ装置の死活を監視することが可能となる。
【図面の簡単な説明】
【００１２】
【図１】本発明にかかるコンピュータ装置死活監視システムの構成を示すブロック図である。
【図２】ＭＩＢの構成例である。
【図３】監視リストの構成例である。
【図４】死活状態確認結果の構成例である。
【図５】管理コンピュータ装置での死活情報確認処理を示すフローチャートである。
【発明を実施するための形態】
【００１３】
次に、本発明の実施形態について図面を参照して説明する。
［コンピュータ装置死活監視システム］
まず、図１を参照して、本発明の一実施形態にかかるコンピュータ装置死活監視システムについて説明する。図１は、本発明にかかるコンピュータ装置死活監視システムの構成を示すブロック図である。
このコンピュータ装置死活監視システム１は、通信網３０を介して接続された管理コンピュータ装置１０と複数の被管理コンピュータ装置２０（２０Ａ−２０Ｎ）とから構成されており、各被管理コンピュータ装置２０の死活状態を管理コンピュータ装置１０で監視する機能を有している。
【００１４】
［発明の原理］
ネットワークに接続された各機器を遠隔で監視制御する際、ＳＭＮＰ（Simple Network Management Protocol）というプロトコルが用いられる。このプロトコルでは、機器を管理する機能をマネージャと呼ぶ。各機器には、それぞれの機器に関する各種情報を記憶するＭＩＢ（Management Information Base）というデータベースが設けられており、マネージャからの指示に応じて自己のＭＩＢに記憶している各種情報を更新する機能をエージェントという。
【００１５】
このＳＭＮＰを利用して、コンピュータ装置を監視する場合、一般的には、前述した従来技術のように、管理コンピュータ装置にマネージャを搭載し、被管理コンピュータ装置のエージェントをマネージャから遠隔制御することにより、各被管理コンピュータ装置に設けられたＭＩＢから情報を取得する、という構成を持つ。
この構成では、エージェントのＭＩＢから情報を取得するというマネージャの機能を利用していることになる。
【００１６】
ここで、マネージャの機能には、エージェントのＭＩＢから情報を取得するという機能以外に、エージェントのＭＩＢに記憶されている情報を更新する機能がある。
本発明は、このマネージャの機能に着目し、この機能で被管理コンピュータ装置から管理コンピュータに対して、死活情報を通知するようにしたものである。したがって、本発明では、一般的なＳＭＮＰとは逆に、各被管理コンピュータ装置にマネージャを搭載するとともに、管理コンピュータ装置にエージェントとＭＩＢを搭載するという構成を備えている。
【００１７】
本実施形態は、このような発明の原理に基づいて、各被管理コンピュータ装置２０で、管理コンピュータ装置１０のＭＩＢに登録されている自己の死活情報を更新するための更新要求を、管理コンピュータ装置１０へ周期的に送信し、管理コンピュータ装置１０において、ＭＩＢで被管理コンピュータ装置２０ごとに死活状態を記憶しておき、被管理コンピュータ装置２０からの更新要求に応じて、ＭＩＢのうち当該被管理コンピュータ装置２０の死活情報を更新し、各被管理コンピュータ装置２０の死活を監視する際、ＭＩＢから各被管理コンピュータ装置２０の死活情報を取得するようにしたものである。
【００１８】
［被管理コンピュータ装置］
次に、図１を参照して、本実施形態にかかるコンピュータ装置死活監視システム１で用いる被管理コンピュータ装置２０の構成について詳細に説明する。
被管理コンピュータ装置２０は、全体としてパーソナルコンピュータやサーバ装置などのコンピュータ装置からなり、主な機能部として、情報更新部２１とマネージャ機能部２２とが設けられている。
【００１９】
情報更新部２１は、管理コンピュータ装置１０のＭＩＢ１２に登録されている自己の死活情報を正常状態に更新するための更新要求の送信をマネージャ機能部２２に対して周期的に指示する機能を有している。
【００２０】
マネージャ機能部２２は、ＳＭＮＰに基づいて管理処理を行うマネージャからなり、情報更新部２１からの送信指示に応じて、管理コンピュータ装置１０のＭＩＢ１２に登録されている自己の死活情報を正常状態に更新するための更新要求を、通信網３０を介して管理コンピュータ装置１０へ送信する機能を有している。
【００２１】
被管理コンピュータ２０装置には、これら機能部のほか、データ通信部など、コンピュータ装置に設けられている一般的な機能が設けられているものとする。また、これら情報更新部２１およびマネージャ機能部２２は、専用のデータ処理回路で実現してもよく、ＣＰＵとプログラムとを協働させて実現してもよい。
【００２２】
［管理コンピュータ装置］
次に、図１を参照して、本実施形態にかかるコンピュータ装置死活監視システム１で用いる管理コンピュータ装置１０の構成について詳細に説明する。
管理コンピュータ装置１０は、全体としてパーソナルコンピュータやサーバ装置などのコンピュータ装置からなり、主な機能部として、エージェント機能部１１、ＭＩＢ１２、死活確認部１３、および監視マネージャ機能部１４とが設けられている。
【００２３】
エージェント機能部１１は、通信網３０を介して受信した被管理コンピュータ装置２０からの更新要求に応じて、ＭＩＢ１２のうち当該被管理コンピュータ装置２０の死活情報を正常状態に更新する機能と、監視マネージャ機能部１４からの取得要求に応じて、指定された監視リストに含まれている各被管理コンピュータ装置２０の死活情報を、ＭＩＢ１２から取得して監視マネージャ機能部１４へ通知するとともに、各被管理コンピュータ装置２０の死活情報を異常状態に初期化する機能とを有している。
【００２４】
ＭＩＢ１２は、被管理コンピュータ装置２０ごとに、当該被管理コンピュータ装置２０の死活情報を記憶する機能を有している。
図２は、ＭＩＢの構成例である。ここでは、各被管理コンピュータ装置２０を識別するためのオブジェクトＩＤごとに、当該被管理コンピュータ装置２０の死活状態を示す死活情報が登録されている。この場合、死活情報が「０」の場合には「異常」を示し、「１」の場合には「正常」を示している。
【００２５】
死活確認部１３は、監視対象となる被管理コンピュータ装置２０を示す監視リストに基づいて、これら被管理コンピュータ装置２０に関する死活状態の確認を監視マネージャ機能部１４へ指示する機能を有している。この場合、監視マネージャ機能部１４への確認指示については、被管理コンピュータ装置２０から通知される死活状態の周期より長い周期で、確認指示を出力すればよく、死活監視の自動化を実現できる。また、任意のイベントやオペレータ操作に応じて、監視マネージャ機能部１４への確認指示を出力してもよい。
図３は、監視リストの構成例である。ここでは、監視対象となる被管理コンピュータ装置２０を示すオブジェクトＩＤが登録されている。
【００２６】
監視マネージャ機能部１４は、死活確認部１３からの確認指示に応じて、当該確認指示で指定された監視リストに基づき、各被管理コンピュータ装置２０の死活情報の取得要求をエージェント機能部１１へ指示する機能と、エージェント機能部１１から通知された各被管理コンピュータ装置２０の死活情報を、各被管理コンピュータ装置２０に関する死活状態の確認結果として通知する機能とを有している。
【００２７】
図４は、死活状態確認結果の構成例である。ここでは、各被管理コンピュータ装置２０を識別するためのオブジェクトＩＤごとに、当該被管理コンピュータ装置２０の死活状態「正常」／「異常」を示す死活情報が対応付けられている。この死活状態確認結果は、死活確認部１３により記憶部（図示せず）に保存され、例えばオペレータ操作に応じて読み出されて画面表示される。
【００２８】
管理コンピュータ装置１０には、これら機能部のほか、データ通信Ｉ／Ｆ部、操作入力部、画面表示部など、コンピュータ装置に設けられている一般的な機能が設けられているものとする。また、これらエージェント機能部１１、死活確認部１３、および監視マネージャ機能部１４は、専用のデータ処理回路で実現してもよく、ＣＰＵとプログラムとを協働させて実現してもよい。また、ＭＩＢ１２はハードディスクや半導体メモリなどの記憶装置で構成すればよい。
【００２９】
［本実施形態の動作］
次に、図５を参照して、本実施形態にかかるコンピュータ装置死活監視システム１の動作について説明する。図５は、管理コンピュータ装置での死活情報確認処理を示すフローチャートである。
エージェント機能部１１は、監視マネージャ機能部１４からの取得要求に応じて、図５の死活情報確認処理を実行する。
【００３０】
まず、エージェント機能部１１は、監視マネージャ機能部１４からの取得要求で指示された監視リストを取得し（ステップ１００）、この監視リストのうちから死活情報を取得していない未処理のオブジェクトＩＤを１つ選択する（ステップ１０１）。
次に、エージェント機能部１１は、選択オブジェクトＩＤと対応する死活情報をＭＩＢ１２から取得して（ステップ１０２）、その死活情報の内容を確認する（ステップ１０３）。
【００３１】
ここで、当該死活情報が「１」を示す場合（ステップ１０３：ＹＥＳ）、エージェント機能部１１は、当該選択オブジェクトＩＤに関する死活状態確認結果を「正常」に設定し（ステップ１０４）、ＭＩＢ１２のうち当該選択オブジェクトＩＤと対応する死活情報を「０」すなわち「異常」を示す状態に初期化する（ステップ１０５）。
【００３２】
続いて、エージェント機能部１１は、監視リストのうち未処理のオブジェクトＩＤが存在するか確認し（ステップ１０７）、未処理のオブジェクトＩＤが存在する場合には（ステップ１０７：ＹＥＳ）、ステップ１０１へ戻って処理を続ける。
また、ステップ１０３において、当該死活情報が「０」を示す場合（ステップ１０３：ＮＯ）、エージェント機能部１１は、当該選択オブジェクトＩＤに関する死活状態確認結果を「異常」に設定し（ステップ１０６）、ステップ１０７へ移行する。
【００３３】
ステップ１０７において、未処理のオブジェクトＩＤがなくなった場合（ステップ１０７：ＮＯ）、監視リストに記載されている各オブジェクトＩＤとそれぞれの監視結果との組を監視マネージャ機能部１４へ通知して（ステップ１０８）、一連の死活情報確認処理を終了する。
【００３４】
［本実施形態の効果］
このように、本実施形態は、各被管理コンピュータ装置２０において、マネージャ機能部２２で、管理コンピュータ装置１０のＭＩＢに登録されている自己の死活情報を更新するための更新要求を、管理コンピュータ装置１０へ周期的に送信し、管理コンピュータ装置１０において、ＭＩＢ１２で被管理コンピュータ装置２０ごとに死活状態を記憶しておき、エージェント機能部１１で、被管理コンピュータ装置２０からの更新要求に応じて、ＭＩＢのうち当該被管理コンピュータ装置２０の死活情報を更新し、各被管理コンピュータ装置２０の死活を監視する際、ＭＩＢから各被管理コンピュータ装置２０の死活情報を取得するようにしたものである。
【００３５】
これにより、各被管理コンピュータ装置２０にＭＩＢを設けることなく、各被管理コンピュータ装置２０の死活情報を管理コンピュータ装置１０で管理することができる。したがって、各被管理コンピュータ装置２０の構成を簡素化できるとともに、死活監視のための情報が管理コンピュータ装置１０だけで一元管理することができ、小さい規模のシステムで各被管理コンピュータ装置２０の死活を監視することが可能となる。
【００３６】
また、本実施形態では、被管理コンピュータ装置２０のマネージャ機能部２２は、更新要求により、被管理コンピュータ装置２０の死活情報を正常状態に更新することを要求し、エージェント機能部１１で、更新要求に応じて、ＭＩＢ１２のうち被管理コンピュータ装置２０の死活情報を正常状態に更新し、監視マネージャ機能部１４からの取得要求に応じて、ＭＩＢ１２から各被管理コンピュータ装置の死活情報を取得した後、各被管理コンピュータ装置２０の死活情報を異常状態に初期化するようにしてもよい。
【００３７】
これにより、被管理コンピュータ装置２０からの更新要求が管理コンピュータ装置１０に通知されなくなった場合には、ＭＩＢ１２内の死活情報が異常状態のままとなるため、被管理コンピュータ装置２０に異常が発生して、更新要求が周期的に通知できなくなった場合には、自動的に被管理コンピュータ装置２０の死活状態が異常であると判断することができる。
【００３８】
なお、ＭＩＢ１２で記憶する死活情報としては、「正常」／「異常」に限定されるものではない。例えば死活情報として更新要求の送信日時を用いた場合には、各被管理コンピュータ装置２０の死活を監視する際、ＭＩＢ１２の確認日時とＭＩＢ１２に登録されている送信日時との時間差を検査することにより、更新の滞りの有無に基づいて、当該被管理コンピュータ装置２０の死活すなわち「正常」／「異常」を判定できる。
【００３９】
［実施形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【００４０】
［付記］
以下、本発明の特徴を付記する。
【００４１】
（付記１）
通信網を介して接続された管理コンピュータ装置と複数の被管理コンピュータ装置とを備え、
前記被管理コンピュータ装置は、
前記管理コンピュータ装置のＭＩＢ（Management Information Base）に登録されている自己の死活情報を更新するための更新要求を、前記通信網を介して前記管理コンピュータ装置へ周期的に送信するマネージャ機能部を備え、
前記管理コンピュータ装置は、
前記被管理コンピュータ装置ごとに、当該被管理コンピュータ装置の死活情報を記憶する前記ＭＩＢと、
前記被管理コンピュータ装置からの前記更新要求に応じて、前記ＭＩＢのうち当該被管理コンピュータ装置の死活情報を更新するエージェント機能部と、
前記各被管理コンピュータ装置の死活を監視する際、前記各被管理コンピュータ装置の死活情報を前記ＭＩＢから取得する取得要求を前記エージェント機能部へ指示する監視マネージャ機能部と
を備え、
前記エージェント機能部は、前記監視マネージャ機能部からの前記取得要求に応じて、前記ＭＩＢから前記各被管理コンピュータ装置の死活情報を取得して前記監視マネージャ機能部へ通知する
ことを特徴とするコンピュータ装置死活監視システム。
【００４２】
（付記２）
付記１に記載のコンピュータ装置死活監視システムにおいて、
前記更新要求は、前記被管理コンピュータ装置の死活情報を正常状態に更新する要求からなり、
前記エージェント機能部は、前記更新要求に応じて、前記ＭＩＢのうち前記被管理コンピュータ装置の死活情報を正常状態に更新し、前記監視マネージャ機能部からの前記取得要求に応じて、前記ＭＩＢから前記各被管理コンピュータ装置の死活情報を取得した後、前記各被管理コンピュータ装置の死活情報を異常状態に初期化する
ことを特徴とするコンピュータ装置死活監視システム。
【００４３】
（付記３）
通信網を介して接続された管理コンピュータ装置と複数の被管理コンピュータ装置とを備えるコンピュータ装置死活監視システムで用いられるコンピュータ装置死活監視方法であって、
前記被管理コンピュータ装置のマネージャ機能部が、前記管理コンピュータ装置のＭＩＢ（Management Information Base）に登録されている自己の死活情報を更新するための更新要求を、前記通信網を介して前記管理コンピュータ装置へ周期的に送信するマネージャ機能ステップと、
前記管理コンピュータ装置の前記ＭＩＢが、前記被管理コンピュータ装置ごとに、当該被管理コンピュータ装置の死活情報を記憶するステップと、
前記管理コンピュータ装置のエージェント機能部が、前記被管理コンピュータ装置からの前記更新要求に応じて、前記ＭＩＢのうち当該被管理コンピュータ装置の死活情報を更新するエージェント機能ステップと、
前記管理コンピュータ装置の監視マネージャ機能部が、前記各被管理コンピュータ装置の死活を監視する際、前記各被管理コンピュータ装置の死活情報を前記ＭＩＢから取得する取得要求を前記エージェント機能部へ指示する監視マネージャ機能ステップと
を備え、
前記エージェント機能ステップは、前記監視マネージャ機能部からの前記取得要求に応じて、前記ＭＩＢから前記各被管理コンピュータ装置の死活情報を取得して前記監視マネージャ機能部へ通知するステップを含む
ことを特徴とするコンピュータ装置死活監視方法。
【００４４】
（付記４）
付記３に記載のコンピュータ装置死活監視方法において、
前記更新要求は、前記被管理コンピュータ装置の死活情報を正常状態に更新する要求からなり、
前記エージェント機能ステップは、前記更新要求に応じて、前記ＭＩＢのうち前記被管理コンピュータ装置の死活情報を正常状態に更新し、前記監視マネージャ機能部からの前記取得要求に応じて、前記ＭＩＢから前記各被管理コンピュータ装置の死活情報を取得した後、前記各被管理コンピュータ装置の死活情報を異常状態に初期化するステップを含む
ことを特徴とするコンピュータ装置死活監視方法。
【符号の説明】
【００４５】
１…コンピュータ装置死活監視システム、１０…管理コンピュータ装置、１１…エージェント機能部、１２…ＭＩＢ、１３…死活確認部、１４…監視マネージャ機能部、２０…被管理コンピュータ装置、２１…情報更新部、２２…マネージャ機能部、３０…通信網。
【図１】
2012185766.tif 000003
【図２】
2012185766.tif 000004
【図３】
2012185766.tif 000005
【図４】
2012185766.tif 000006
【図５】
2012185766.tif 000007